(57)【要約】【課題】ウェブブラウザ終了時のウェブサーバのＵＲＬだけを記録しておいてウェブブラウザ再起動時に、状態復元を行う方法では、接続先コンテンツによっては正しく表示されなかったり、操作ができなくなる場合がある。【解決手段】ウェブコンテンツを表示する表示部１０３と、ウェブブラウザ終了時の画面イメージ、ＵＲＬ、ｒｅｆｅｒｅｒ及びセッションｃｏｏｋｉｅを記憶する記憶部１０２と、ウェブブラウザ終了時に、記憶部１０２に画面イメージ、ＵＲＬ、ｒｅｆｅｒｅｒ及びセッションｃｏｏｋｉｅを記憶させ、ウェブブラウザ再起動時に、記憶部１０２に記憶した画面イメージ、ＵＲＬ、ｒｅｆｅｒｅｒ及びセッションｃｏｏｋｉｅを用いて、ウェブブラウザ終了時の状態復元を行い、表示部１０３に表示させるウェブブラウザ制御部１０１と、を備える。【選択図】図２
2011096028.tif 000002
【特許請求の範囲】
【請求項１】
ウェブコンテンツを表示する表示部と、
ウェブブラウザ終了時の画面イメージ、ＵＲＬ、ｒｅｆｅｒｅｒ及びセッションｃｏｏｋｉｅを記憶する記憶部と、
ウェブブラウザ終了時に、前記記憶部に前記画面イメージ、ＵＲＬ、ｒｅｆｅｒｅｒ及びセッションｃｏｏｋｉｅを記憶させ、
ウェブブラウザ再起動時に、前記記憶部に記憶した前記画面イメージ、ＵＲＬ、ｒｅｆｅｒｅｒ及びセッションｃｏｏｋｉｅを用いて、前記ウェブブラウザ終了時の状態復元を行い、前記表示部に表示させるウェブブラウザ制御部と、
を備えるウェブブラウザ再起動装置。
【請求項２】
前記ウェブブラウザ終了時からの時間を計測するタイマーを備え、
前記ウェブブラウザ再起動時に前記計測時間が一定時間以内の場合、前記ウェブブラウザ制御部は前記記憶部に記憶した前記画面イメージ、ＵＲＬ、ｒｅｆｅｒｅｒ及びセッションｃｏｏｋｉｅを用いて、前記ウェブブラウザ終了時の状態復元を行う
ことを特徴とする求項１記載の再起動装置。
【請求項３】
ウェブブラウザ終了時の画面イメージ、ＵＲＬ、ｒｅｆｅｒｅｒ及びセッションｃｏｏｋｉｅを記憶部に記憶するステップと、
ウェブブラウザ再起動時に、前記記憶部に記憶した前記画面イメージ、ＵＲＬ、ｒｅｆｅｒｅｒ及びセッションｃｏｏｋｉｅを用いて、前記ウェブブラウザ終了時の状態復元を行うステップと、
を備えるウェブブラウザ再起動方法。
【請求項４】
前記ウェブブラウザ再起動時に前記計測時間が一定時間以内の場合、前記記憶部に記憶した前記画面イメージ、ＵＲＬ、ｒｅｆｅｒｅｒ及びセッションｃｏｏｋｉｅを用いて、前記ウェブブラウザ終了時の状態復元を行う
ことを特徴とする請求項３記載のウェブブラウザ再起動方法。
【発明の詳細な説明】
【技術分野】
【０００１】
本発明は、ウェブブラウザの終了、再起動時の処理に関するものである。
【背景技術】
【０００２】
従来、ウェブブラウザの終了、再起動時の処理としては、ウェブブラウザの終了時の接続先のＵＲＬを記憶しておいて、再起動時に該ＵＲＬに再び接続を行い、前回終了時の状態復元（画面イメージ表示）を行う方法がある。
【０００３】
また、特許文献１に記載されているように、終了時の表示状態に関する情報を記憶しておいて、再起動時には該情報を初期状態情報として読み出して終了時の状態復元（画面イメージ表示）を行うものもある。
【先行技術文献】
【特許文献】
【０００４】
【特許文献１】特開平７−３７０５８号公報
【発明の概要】
【発明が解決しようとする課題】
【０００５】
しかしながら、ウェブブラウザ終了時の接続先のＵＲＬだけを記憶しておく方法では、再起動したとき再び該接続先のＵＲＬに接続を行ってコンテンツを取得し直す必要があり、ウェブブラウザの前回終了時の状態復元（画面イメージ表示）が完了するまでに時間を要する。また、ウェブブラウザ終了時の接続先のＵＲＬを直接指定して再接続を行うので、接続先のコンテンツでセッション管理を行っている場合は正しく表示されなかったり、操作ができなくなる場合がある。特に、ハードウェア、ソフトウェア資源の制限でウェブブラウザを常時起動しておくことができない装置においては切実な問題である。
【０００６】
また、特許文献１には、終了時の表示状態に関する情報が具体的に記載されておらず、上記と同様の課題は依然として解決されない。
【０００７】
本発明は、前記従来の課題を解決するもので、ウェブブラウザ終了時に、ウェブブラウザ終了時のＵＲＬに加えて、画面イメージ、ｒｅｆｅｒｅｒ及びセッションｃｏｏｋｉｅをも保存しておいて、ウェブブラウザの再起動時に利用することで、ウェブブラウザ終了時の状態復元（画面イメージ表示）をすばやく行うとともに、再起動時のウェブブラウザの接続先がセッション管理を行っているコンテンツであっても正しい表示や操作が可能となる装置及び方法を提供することを目的とする。
【課題を解決するための手段】
【０００８】
前記従来の課題を解決するために、本発明は、一態様においては、ウェブコンテンツを表示する表示部と、ウェブブラウザ終了時の画面イメージ、ＵＲＬ、ｒｅｆｅｒｅｒ及びセッションｃｏｏｋｉｅを記憶する記憶部と、ウェブブラウザ終了時に、前記記憶部に前記画面イメージ、ＵＲＬ、ｒｅｆｅｒｅｒ及びセッションｃｏｏｋｉｅを記憶させ、ウェブブラウザ再起動時に、前記記憶部に記憶した前記画面イメージ、ＵＲＬ、ｒｅｆｅｒｅｒ及びセッションｃｏｏｋｉｅを用いて、前記ウェブブラウザ終了時の状態復元を行い、前記表示部に表示させるウェブブラウザ制御部と、を備えるウェブブラウザ再起動装置である。
【０００９】
本発明は、その一態様においては、前記ウェブブラウザ終了時からの時間を計測するタイマーを備え、前記ウェブブラウザ再起動時に前記計測時間が一定時間以内の場合、前記ウェブブラウザ制御部は前記記憶部に記憶した前記画面イメージ、ＵＲＬ、ｒｅｆｅｒｅｒ及びセッションｃｏｏｋｉｅを用いて、前記ウェブブラウザ終了時の状態復元を行う、ことが好ましい。
【００１０】
本発明は、別の一態様においては、ウェブブラウザ終了時の画面イメージ、ＵＲＬ、ｒｅｆｅｒｅｒ及びセッションｃｏｏｋｉｅを記憶部に記憶するステップと、ウェブブラウザ再起動時に、前記記憶部に記憶した前記画面イメージ、ＵＲＬ、ｒｅｆｅｒｅｒ及びセッションｃｏｏｋｉｅを用いて、前記ウェブブラウザ終了時の状態復元を行うステップと、
を備えるウェブブラウザ再起動方法である。
【００１１】
本発明は、その別の一態様においては、前記ウェブブラウザ再起動時に前記計測時間が一定時間以内の場合、前記記憶部に記憶した前記画面イメージ、ＵＲＬ、ｒｅｆｅｒｅｒ及びセッションｃｏｏｋｉｅを用いて、前記ウェブブラウザ終了時の状態復元を行う、ことが好ましい。
【発明の効果】
【００１２】
本発明のウェブブラウザ再起動装置及びウェブブラウザ再起動方法によれば、ウェブブラウザの終了時に、ウェブブラウザ終了時のＵＲＬに加えて、画面イメージ、ｒｅｆｅｒｅｒ、セッションｃｏｏｋｉｅをも保存しておいて、ウェブブラウザの再起動時に利用することで、ウェブブラウザ終了時の状態復元（画面イメージ表示）をすばやく行うとともに、再起動時のウェブブラウザの接続先がセッション管理を行っているコンテンツであっても正しい表示や操作が可能となる。
【図面の簡単な説明】
【００１３】
【図１】本発明の実施例におけるウェブブラウザ再起動システムのシステム構成図
【図２】本発明の実施例におけるウェブブラウザ終了時の処理の流れを表すフローチャート
【図３】本発明の実施例１におけるウェブブラウザ再起動時の処理の流れを表すフローチャート
【図４】本発明の実施例２におけるウェブブラウザ再起動時の処理の流れを表すフローチャート
【発明を実施するための形態】
【００１４】
以下に、本発明の実施の形態について、図面を参照しながら説明する。
【実施例１】
【００１５】
まず、本発明の実施例１にかかわるウェブブラウザ再起動システムの構成について説明する。
【００１６】
図１は、本発明の実施例１に係わるウェブブラウザ再起動システム１のシステム構成図であり、ウェブブラウザ再起動装置１０及びウェブサーバ２０から構成される。
【００１７】
さらに、ウェブブラウザ再起動装置１０は、ウェブブラウザ制御部１０１、記憶部１０２、表示部１０３、入力部１０４、ネットワーク接続部１０５から構成される。
【００１８】
ウェブブラウザ制御部１０１は、ウェブブラウザ再起動装置１０の全体を制御する心臓部で、ウェブページを閲覧するために、ネットワーク接続部１０５を介して、ウェブサーバ２０からＨＴＭＬファイルや画像ファイル、音楽ファイル等をダウンロードし、レイアウトを解析して、表示部１０３に画面表示を行う。また、ウェブブラウザ終了時には、記憶部１０２にウェブブラウザ終了時のＵＲＬ、画面イメージ、ｒｅｆｅｒｅｒ及びセッションｃｏｏｋｉｅを記憶させ、ウェブブラウザ再起動時には、記憶部１０２からウェブブラウザ終了時のＵＲＬ、画面イメージ、ｒｅｆｅｒｅｒ及びセッションｃｏｏｋｉｅを読み出し、ウェブブラウザの再起動時の状態復元を行う。
【００１９】
記憶部１０２は、ハードディスクドライブ（ＨＤＤ）、揮発性又は不揮発性メモリ等の記憶手段であり、ウェブブラウザ制御部１０１からの指示により、ウェブブラウザ終了時のＵＲＬ、画面イメージ、ｒｅｆｅｒｅｒ、セッションｃｏｏｋｉｅが記憶され、記憶したウェブブラウザ終了時のＵＲＬ、画面イメージ、ｒｅｆｅｒｅｒ、セッションｃｏｏｋｉｅが再びウェブブラウザを起動したときに記憶部１０２から読み出される。
【００２０】
表示部１０３は、ウェブページを閲覧するための画面表示を行う。ネットワーク接続部１０５を介してダウンロードされ、レイアウト解析されたＨＴＭＬファイルや画像ファイル、音楽ファイル等が画面表示される。
【００２１】
入力部１０４は、キーボード、リモコン等であり、ユーザーは入力部１０５を介してウェブブラウザ再起動装置１０の各種操作を行う。
【００２２】
ネットワーク接続部１０５は、インターネット等を通してウェブサーバ２０に接続するためのものである。
【００２３】
ウェブサーバ２０は、ＨＴＭＬファイルや画像ファイル、音楽ファイル等の情報を蓄積し、ウェブブラウザ制御部１０１からの要求に応じて、ネットワーク接続部１０５を介してＨＴＭＬファイルや画像ファイル、音楽ファイル等の情報をユーザーに提供する役割を果たす。
【００２４】
次に、本発明の実施例１にかかわるウェブブラウザ再起動処理の流れを、図２及び図３を用いて説明する。
【００２５】
図２は、ウェブブラウザ終了時のウェブブラウザ制御部１０１の処理の流れを表すフローチャートである。
【００２６】
図２において、ウェブブラウザ制御部１０１は、ユーザーが入力部１０４からウェブブラウザを終了させる操作を行うと（ステップＳ２０１）、ウェブブラウザ終了時の画面イメージを取得し、記憶部１０２に保存する（ステップＳ２０２）。
【００２７】
次に、ウェブブラウザ制御部１０１は、ウェブブラウザ再起動装置１０がウェブブラウザ終了時に接続しているコンテンツのＵＲＬと、コンテンツ取得時に送信したｒｅｆｅｒｅｒ及びセッションｃｏｏｋｉｅを記憶部１０２に保存し（ステップＳ２０３）、ウェブブラウザを終了させる（ステップＳ２０４）。
【００２８】
図３は、図２に示したウェブブラウザ終了処理の後、再びウェブブラウザを起動したときのウェブブラウザ制御部１０１の処理の流れを示すフローチャートである。
【００２９】
図３において、ウェブブラウザ制御部１０１は、ユーザーが入力部１０４からウェブブラウザを起動する操作を行うと（ステップＳ３０１）、記憶部１０２から前回ウェブブラウザ終了時に保存しておいた画面イメージを取り出し（ステップＳ３０２）、その画面イメージを表示部１０３に表示する（ステップＳ３０３）。
【００３０】
次にウェブブラウザ制御部１０１は、記憶部１０２から前回ウェブブラウザ終了時に保存しておいたＵＲＬ、ｒｅｆｅｒｅｒ、セッションｃｏｏｋｉｅを取り出し（ステップＳ３０４）、取得したｒｅｆｅｒｅｒ、セッションｃｏｏｋｉｅを用いてネットワーク接続部１０５を通して前回ウェブブラウザ終了時に保存しておいたＵＲＬに接続を行い（ステップＳ３０５）、ウェブサーバ２０から前回ウェブブラウザ終了時のコンテンツを取得して表示部１０３に表示する（ステップＳ３０６）。
【００３１】
以上、本実施例１に係わるウェブブラウザ再起動装置１０によれば、ウェブブラウザの終了時に、ＵＲＬに加えて、画面イメージ、ｒｅｆｅｒｅｒ、セッションｃｏｏｋｉｅをも保存しておいて、ウェブブラウザの再起動時に利用することで、ウェブブラウザ終了時の画面イメージの表示をすばやく行うとともに、再起動時のウェブブラウザの接続先がセッション管理を行っているコンテンツであっても正しい表示や操作が可能となる。
【００３２】
なお、本実施例１に係わるウェブブラウザ再起動方法もまた、ウェブブラウザ再起動装置１０において実施されることにより、上述した効果と同等の効果が奏せられる。
【実施例２】
【００３３】
図４は、本発明の実施例２に係わるウェブブラウザ再起動処理の流れを表すフローチャートである。
【００３４】
なお、本発明の実施例２に係わるウェブブラウザ再起動システムのシステム構成図（図１）並びにウェブブラウザ終了時のウェブブラウザ制御部１０１の処理の流れを示すフローチャート（図２）において、実施例１と異なる点は、ウェブブラウザ制御部１０１は、ウェブブラウザ終了時からさウェブブラウザ再起動時までの時間を計測するタイマー（図示せず）を備え、ウェブブラウザ終了時からの経過時間を該タイマーを用いて計測する点である。
【００３５】
図４において、ウェブブラウザ制御部１０１は、ユーザーが入力部１０４からウェブブラウザを起動する操作を行うと（ステップＳ４０１）、前回ウェブブラウザを終了した時からの経過時間を取得する（ステップＳ４０２）。
【００３６】
前回ウェブブラウザを終了した時からある一定時間以上経過しているかどうか判断し（ステップＳ４０３）、一定時間以上経過していれば、前回ウェブブラウザ終了時のセッションは終了しているものとし、通常の起動処理を行う、前回ウェブブラウザ終了時の状態復元は行わない（ステップＳ４０４）。
【００３７】
一方、一定時間以上経過していない場合は、前回ウェブブラウザ終了時のセッションが継続しているものとし、ウェブブラウザ制御部１０１は、記憶部１０２から前回ウェブブラウザ終了時に保存しておいた画面イメージを取り出し（ステップＳ４０５）、その画面イメージを表示部１０３に表示する（ステップＳ４０６）。
【００３８】
次にウェブブラウザ制御部１０１は、記憶部１０２から前回ウェブブラウザ終了時に保存しておいたＵＲＬ、ｒｅｆｅｒｅｒ、セッションｃｏｏｋｉｅを取り出し（ステップＳ４０７）、取得したｒｅｆｅｒｅｒ、セッションｃｏｏｋｉｅを用いてＵＲＬにネットワーク接続部１０５を通して接続を行い（ステップＳ４０８）、ウェブサーバ部１０６から前回ウェブブラウザ終了時のコンテンツを取得して表示部１０３に表示する（ステップＳ４０９）。
【００３９】
なお、図４のステップＳ４０５からステップＳ４０９におけるウェブブラウザ再起動時の処理は、図３のステップＳ３０２からステップＳ３０６におけるウェブブラウザ再起動時の処理と同じである。
【００４０】
以上、本実施例２に係わるウェブブラウザ再起動装置１０によれば、ウェブブラウザの終了時に、ＵＲＬに加えて、画面イメージ、ｒｅｆｅｒｅｒ、セッションｃｏｏｋｉｅをも保存しておいて、ウェブブラウザ終了からウェブブラウザ再起動までの時間を計測し、該ウェブブラウザ終了時から一定時間以内であれば、該ウェブブラウザ終了時のセッションが継続しているものとし、ウェブブラウザの再起動時に利用することで、ウェブブラウザ終了時の画面イメージの表示をすばやく行うとともに、再起動時のウェブブラウザの接続先がセッション管理を行っているコンテンツであっても正しい表示や操作が可能となる。
【００４１】
なお、本実施例２係わるウェブブラウザ再起動方法もまた、ウェブブラウザ再起動装置１０において実施されることにより、上述した効果と同等の効果が奏せられる。
【産業上の利用可能性】
【００４２】
ウェブブラウザの終了時に、ＵＲＬに加えて、画面イメージ、ｒｅｆｅｒｅｒ、セッションｃｏｏｋｉｅをも保存しておいて、ウェブブラウザの再起動時に利用することで、ウェブブラウザ終了時の画面イメージの表示をすばやく行うとともに、再起動時のウェブブラウザの接続先がセッション管理を行っているコンテンツであっても正しい表示や操作が可能となり、ウェブブラウザ再起動装置、ウェブブラウザ再起動方法として有用である。
【符号の説明】
【００４３】
１    ウェブブラウザ再起動システム
１０    ウェブブラウザ再起動装置
２０    ウェブサーバ
１０１    ウェブブラウザ制御部
１０２    記憶部
１０３    表示部
１０４    入力部
１０５    ネットワーク接続部
【図１】
2011096028.tif 000003
【図２】
2011096028.tif 000004
【図３】
2011096028.tif 000005
【図４】
2011096028.tif 000006